(57)【要約】【課題】  システム時計の補正が行われた場合でも、この補正を録画予約の相対時間に反映させることが可能な情報処理装置、録画予約方法、およびプログラムを提供する。【解決手段】  制御手段１１によって内部時計から現在の時刻情報を取得し、録画開始時刻までの相対時間を記憶手段１２に記憶し、相対時間をカウントし、カウントされた時間を時刻情報に加算し、カウント時刻とし、カウント時刻と時刻情報とを所定の間隔で比較し、時刻のずれが所定値を超えた場合は、時刻のずれに基づいて相対時間を補正して、記憶手段１２に記憶する。【選択図】      図２
2007067969.tif 000002
【特許請求の範囲】
【請求項１】
計時手段と、所定の間隔で時刻情報を取得し前記計時手段の時刻補正を行う時刻補正手段と、録画予約を行う録画手段とを備えた情報処理装置であって、
前記録画手段によって前記計時手段から現在の時刻情報を取得し、前記時刻情報から録画開始時刻までの相対時間を記憶する記憶手段と、
前記相対時間をカウントし、カウントされた時間を前記時刻情報に加算し、カウント時刻とし、前記記憶手段に記憶するカウント手段と、
前記カウント時刻と、前記時刻情報とを前記記憶手段から読み出し、所定の間隔で比較する比較手段と、
前記比較手段によって、前記カウント時刻と前記時刻情報との時刻のずれが所定値を超えた場合は、前記時刻のずれに基づいて前記相対時間を補正し、前記記憶手段に記憶する相対時間補正手段と、
を具備することを特徴とする情報処理装置。
【請求項２】
請求項１に記載の情報処理装置において、
前記録画手段は、前記記憶手段に記憶された相対時間に基づいて、録画を開始することを特徴とする情報処理装置。
【請求項３】
請求項１に記載の情報処理装置において、
前記カウント手段は、前記記憶手段に複数の相対時間が記憶されている場合、前記現在時刻に一番近い相対時間に対してカウント処理を行うことを特徴とする情報処理装置。
【請求項４】
請求項１に記載の情報処理装置において、
前記時刻補正手段は、インターネットまたは放送波を経由して所定の間隔で時刻情報を取得し、時刻補正を行うことを特徴とする情報処理装置。
【請求項５】
請求項１に記載の情報処理装置において、
前記時刻補正手段は、サマータイム情報を取得した場合、時刻補正を行うことを特徴とする情報処理装置。
【請求項６】
請求項１に記載の情報処理装置において、
前記録画手段は、オペレーションシステムのユーザのログオフ中においても動作しており、録画予約および相対時間の補正を行うことを特徴とする情報処理装置。
【請求項７】
計時手段と、所定の間隔で時刻情報を取得し前記計時手段の時刻補正を行う時刻補正手段と、録画予約を行う録画手段とを備えた情報処理装置を用いた録画予約方法であって、
前記録画手段によって前記計時手段から現在の時刻情報を取得し、前記時刻情報から録画開始時刻までの相対時間を記憶手段に記憶する記憶ステップと、
前記相対時間をカウントし、カウントされた時間を前記時刻情報に加算し、カウント時刻とし、前記記憶手段に記憶するカウントステップと、
前記カウント時刻と、前記時刻情報とを前記記憶手段から読み出し、所定の間隔で比較する比較ステップと、
前記比較ステップによって、前記カウント時刻と前記時刻情報との時刻のずれが所定値を超えた場合は、前記時刻のずれに基づいて前記相対時間を補正し、前記記憶手段に記憶する相対時間補正ステップと、
を含むことを特徴とする録画予約方法。
【請求項８】
請求項７に記載の録画予約方法において、
前記録画ステップは、前記記憶手段に記憶された相対時間に基づいて、録画を開始することを特徴とする録画予約方法。
【請求項９】
請求項７に記載の録画予約方法において、
前記カウントステップは、前記記憶手段に複数の相対時間が記憶されている場合、前記現在時刻に一番近い相対時間に対してカウント処理を行うことを特徴とする録画予約方法。
【請求項１０】
計時手段と、所定の間隔で時刻情報を取得し前記計時手段の時刻補正を行う時刻補正手段と、録画予約を行う録画手段とを備えた情報処理装置で用いられるプログラムあって、
前記録画手段によって前記計時手段から現在の時刻情報を取得し、前記時刻情報から録画開始時刻までの相対時間を記憶手段に記憶する記憶手順と、
前記相対時間に基づいてカウンタを設定し、前記カウンタによりカウントさせたカウント時刻と前記時刻情報とを所定の間隔で比較する比較手順と、
前記比較手順によって、前記カウント時刻と前記時刻情報との時刻のずれが所定値を超えた場合は、前記時刻のずれに基づいて前記相対時間を補正し、前記記憶手段に記憶する相対時間補正手順と、
をコンピュータに実行させるためのプログラム。
【発明の詳細な説明】
【技術分野】
【０００１】
この発明は、例えばパーソナルコンピュータを用いて番組を予約する技術に係り、特に、パーソナルコンピュータの時刻補正がなされた際に録画予約に対しても適切に補正を行うことができる情報処理装置、録画予約方法、およびプログラムに関する。
【背景技術】
【０００２】
近年、ＴＶ等の番組を予約して録画する機能を備えたパーソナルコンピュータが多く用いられるようになっている。
【０００３】
このようなパーソナルコンピュータにおいては、インターネットまたは放送波等から時刻情報を取得し、パーソナルコンピュータ内のシステム時計を補正することができるものがある。この場合に、予め録画予約された録画情報は、予約時のシステム時計の時刻情報に基づいて設定された相対時間をカウントするようになっている。すなわち、最初の録画予約時の時刻が１９：００で、録画開始時刻が２０：００の場合は、相対時間として６０分を設定し、この６０分をカウントし、６０分経過すると、録画を開始するようになっている（例えば特許文献１）。
【特許文献１】特開２００４−１８６８０９公報。
【発明の開示】
【発明が解決しようとする課題】
【０００４】
上述したように、パーソナルコンピュータ内のシステム時計の補正が行われた場合、この補正の内容が相対時間には反映されず、録画開始の時刻がずれる等の問題がある
そこで、この発明の目的は、システム時計の補正が行われた場合でも、この補正を録画予約の相対時間に反映させることが可能な情報処理装置、録画予約方法、およびプログラムを提供することにある。
【課題を解決するための手段】
【０００５】
上記目的を達成するために、本願発明の一態様によれば、計時手段と、所定の間隔で時刻情報を取得し前記計時手段の時刻補正を行う時刻補正手段と、録画予約を行う録画手段とを備えた情報処理装置であって、前記録画手段によって前記計時手段から現在の時刻情報を取得し、前記時刻情報から録画開始時刻までの相対時間を記憶する記憶手段と、前記相対時間をカウントし、カウントされた時間を前記時刻情報に加算し、カウント時刻とし、前記記憶手段に記憶するカウント手段と、前記カウント時刻と、前記時刻情報とを前記記憶手段から読み出し、所定の間隔で比較する比較手段と、前記比較手段によって、前記カウント時刻と前記時刻情報との時刻のずれが所定値を超えた場合は、前記時刻のずれに基づいて前記相対時間を補正し、前記記憶手段に記憶する相対時間補正手段と、を具備することを特徴とする情報処理装置が提供される。
【発明の効果】
【０００６】
この発明によれば、システム時計の補正が行われた場合でも、この補正を録画予約の相対時間に反映させることができる。
【発明を実施するための最良の形態】
【０００７】
以下、この発明の一実施形態について図面を参照して詳細に説明する。
【０００８】
図１には、本発明の実施形態に係る情報処理装置が示されている。この情報処理装置は、例えば、バッテリ駆動可能なノートブック型コンピュータ１０として実現されているが、無論、デスクトップ型パーソナルコンピュータ等でもよい。
【０００９】
図１に示すように、コンピュータ１０は、コンピュータ本体と、ディスプレイユニット１２０とから構成されている。ディスプレイユニット１２０にはＬＣＤ（Liquid Crystal Display）からなる表示装置が組み込まれており、そのＬＣＤの表示画面１２１はディスプレイユニット１２０のほぼ中央に位置されている。
【００１０】
ディスプレイユニット１２０は、コンピュータ１０に対して開閉自在に取り付けられている。コンピュータ１０の本体側は薄い箱形の筐体を有しており、その上面にはパワーボタン２４、キーボード２５、パームレスト上にはタッチパッド２６、光学ドライブ２０、および左右２つのボタン１１３ａ、１１３ｂ等が配置されている。
【００１１】
図２は、本発明の実施形態に係る情報処理装置であるパーソナルコンピュータのブロック図を含むシステム構成図が示されている。
【００１２】
このコンピュータ１０は、インターネット１５に接続可能であり、インターネット１５を介して、ＮＴＰサーバ（時刻サーバ）１６およびＥＰＧサーバ（番組情報提供サーバ）１７等から時刻情報および番組情報を受信可能である。
【００１３】
コンピュータ１０は、上述した時刻情報を用いて内部時計（システム時計：計時手段）を補正する時計補正手段１１ａを備えた制御手段と、記憶手段１２と、放送波を受信するチューナー手段１３と、インターネット１５等と通信を行う通信手段１４とを備えている。なお、時計補正手段１１ａは、チューナー手段１３を介して放送波から時刻情報を取得することもできる。
【００１４】
また、記憶手段１２は、ＴＶアプリケーション等である録画予約を行うプログラムを記憶する録画予約プログラム記憶領域１２ａと、内部時計を動作させる内部時計プログラムを記憶する内部時計プログラム記憶領域１２ｂと、スケジューリングタイマー、録画タイマー、および相対時間補正機能等であるサービスプログラムを記憶するサービスプログラム記憶領域１２ｃとを備える。
【００１５】
なお、上述したＴＶアプリケーションは、オペレーションシステムにインストールされているソフトウエアである。ＴＶアプリケーションは、上述したサービスプログラムを呼び出し、ユーザからはＴＶアプリケーションに一体的に構成されるように動作する。また、上述したＴＶアプリケーションは、オペレーションシステムのユーザのログオフ時においても動作しており、録画予約が有効である。
【００１６】
次に、本発明の実施形態に係る情報処理装置を適用した録画予約方法について図３および図４を用いて説明する。
【００１７】
まず、最初の録画予約処理は、従来の技術と同様に行う。例えば、録画予約情報として録画予約時の時刻が１９：００で、録画開始時刻が２０：００の場合は、相対時間として６０分を設定し、ＥＰＧサーバ１７から取得した番組のタイトル情報（例えば、「ＡＢＣ」）と共に記憶手段１２に記憶する（図５参照）。この相対時間である６０分をカウントし、６０分を経過すると、録画を開始するように設定されている。また、上述した録画予約情報は、記憶手段１２に記憶される。
【００１８】
続いて、録画手段である制御手段１１は、内部時計から現在の時刻情報である例えば１９：００を取得し、記憶手段１２に記憶し（ステップＳ１）、制御手段１１内の監視タイマーを起動（プログラム上でカウンタを設定）し、相対時間をカウントし、カウントされた時間を取得した時刻情報に加算し、カウント時刻とし、記憶手段１２に記憶する（ステップＳ２）。例えば、カウントした時間が１０分であれば、１９：００に１０分を加算し、１９：１０をカウント時刻として記憶する。
【００１９】
次に、時計補正手段１１ａは、定期的に時刻情報をインターネット１５または放送波等から取得し、内部時計を補正している。例えば、２分進む補正が行われた場合は、録画予約時に参照した内部時計と、補正後の内部時計の時間が２分ずれる（相対時間が２分遅れる）ことになる。
【００２０】
制御手段１１は、所定の間隔、例えば１分間隔で内部時計を参照するものとする。この１分が経過した場合は（ステップＳ３のＹＥＳ）、現在の時刻情報を取得する（ステップＳ４）。
【００２１】
そして、カウント時刻（１９：１０）と、現在の時刻情報（例えば、２分進む補正が行われた内部時計の時刻情報である１９：１２）とを記憶手段１２から読み出し、所定の閾値（例えば１分）以上の差がある場合は、ずれが２分であるので１分の閾値以上であるので（ステップＳ６のＹＥＳ）、時刻のずれである２分（１９：３０と１９：１２）に基づいて相対時間を再計算し（ステップＳ７）、カウント時刻を１９：１２として補正し、記憶手段１２に記憶することで録画タイマーを再設定する（ステップＳ８、図４参照）。
【００２２】
このように、録画開始時刻（例えば２０：００）よりも前に適切に録画予約情報を補正できるので、システム時計の補正が行われた場合でも、この補正を録画予約の相対時間（録画予約時間）に反映させることができる。
【００２３】
なお、記憶手段１２に複数の相対時間（録画予約情報）が記憶されている場合は、現在時刻に一番近い相対時間に対してカウント処理を行う。
【００２４】
さらに、時刻補正手段１１ａは、定期的に時刻情報をインターネット１５または放送波等から取得するとは別に、サマータイム情報を取得した場合も、時刻補正を行う。なお、サマータイム情報は、インターネット１５またｈ放送波等から取得してもよいし、サマータイム情報専用の受信アンテナ等を内蔵してもよい。
【００２５】
なお、本発明は上記実施形態そのままに限定されるものではなく、実施段階ではその要旨を逸脱しない範囲で構成要素を変形して具体化できる。また、上記実施形態に開始されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２６】
【図１】本発明に係わる情報処理装置を適用したパーソナルコンピュータを示す斜視図。
【図２】本発明の実施形態に係る情報処理装置であるパーソナルコンピュータのブロック図を含むシステム構成図。
【図３】本発明の実施形態に係る情報処理装置を適用した録画予約方法について説明したフローチャート。
【図４】録画予約の相対時間を補正する場合のタイムチャートを示した模式図。
【図５】記憶手段に記憶する録画予約情報を示した模式図。
【符号の説明】
【００２７】
１０…パーソナルコンピュータ、１１ａ…時計補正手段、１１…制御手段、１１ａ…時刻補正手段、１２…記憶手段、１２ａ…録画予約プログラム記憶領域、１２ｂ…内部時計プログラム記憶領域、１２ｃ…サービスプログラム記憶領域、１３…チューナー手段、１４…通信手段、１５…インターネット、１６…ＮＴＰサーバ、１７…ＥＰＧサーバ、２０…光学ドライブ、２４…パワーボタン、２５…キーボード、２６…タッチパッド、１１３ａ．１１３ｂ…ボタン、１２０…ディスプレイユニット、１２１…表示画面。
【図１】
2007067969.tif 000003
【図２】
2007067969.tif 000004
【図３】
2007067969.tif 000005
【図４】
2007067969.tif 000006
【図５】
2007067969.tif 000007